(57)【要約】【課題】非接触カードとの近接通信において消費する電力を低減する。【解決手段】リモートコントローラ１２は、蓄電池５７からの電力により駆動される。非接触カードR/W部５２は、アンテナ４１を介して非接触カードと近接通信を行う。太陽光発電パネル４３は、アンテナ４１の近傍に設けられ、入射光により発電する。出力電力測定部５６は、太陽光発電パネル４３から出力される出力電力を測定する。CPU５１は、太陽光発電パネル４３の出力電力が所定の閾値を下回った場合、非接触カードR/W部５２を起動する。本発明は、例えば、テレビジョン受像機のリモートコントローラに適用できる。【選択図】図２
2010282641.tif 000002
【特許請求の範囲】
【請求項１】
アンテナと、
前記アンテナを介して非接触通信機能を有する情報処理装置と近接通信を行う第１の通信手段と、
前記アンテナの近傍に設けられ、入射光量を検出する光検出手段と、
表示制御装置と双方向の無線通信を行い、前記情報処理装置から取得した情報を前記表示制御装置に送信する第２の通信手段と、
前記第２の通信手段を介して前記表示制御装置を遠隔操作するための操作手段と、
前記操作手段を介して前記表示制御装置に対して所定の操作を行った場合に前記表示制御装置から送信されてくる起動信号を前記第２の通信手段が受信するか、または、前記入射光量が所定の閾値未満になった場合、前記第１の通信手段を起動する近接通信制御手段と
を含む通信装置。
【請求項２】
前記近接通信制御手段は、前記第１の通信手段を起動した後、前記情報処理装置との通信が終了するか、または、前記情報処理装置との近接通信が行われないまま所定の時間が経過した場合、前記第１の通信手段の動作を停止させ、前記第１の通信手段の動作を停止させた後、前記第２の通信手段が前記起動信号を受信するか、または、前記入射光量が前記閾値を一旦超えてから前記閾値未満になるまで、前記第１の通信手段を起動しない
請求項１に記載の通信装置。
【請求項３】
前記光検出手段は、入射する光を電力に変換し、前記通信装置を駆動する電池を充電する光発電パネルにより構成される
請求項１に記載の通信装置。
【発明の詳細な説明】
【技術分野】
【０００１】
本発明は、通信装置に関し、特に、非接触カードと近接通信を行う通信装置に関する。
【背景技術】
【０００２】
近年、テレビジョン受像機（以下、TVと称する）をインターネットに接続し、従来パーソナルコンピュータなどで利用されていたオンラインショッピングを、TVで楽しむようにする利用方法が提案されている。
【０００３】
この場合、TVのリモートコントローラに非接触カードの情報を読み取るカードリーダライタ（以下、カードR/Wと称する）を搭載することが考えられる。そして、ユーザは、例えば、非接触カードからなるクレジットカードをリモートコントローラに翳すだけで、暗証番号やカード番号などの入力操作を行うことなく、オンラインショッピングの決済の手続を簡単に行うことができるようになると考えられる。
【０００４】
ところで、任意のタイミングでリモートコントローラに翳される非接触カードを確実に捕捉するためには、カードR/Wが、非接触カードを探索するために電磁波を周囲に発するポーリング処理を周期的に行う必要がある。しかし、ポーリング処理を常時行うようにした場合、リモートコントローラの電池の寿命が短くなり、電池交換を頻繁に行わなければならなくなる。例えば、リモートコントローラがアルカリ電池２本（容量4000mAh）により駆動され、カードR/Wの駆動電圧および駆動電流が、それぞれ1.9Vおよび100mAであると仮定した場合、4000÷1.9÷100＝21時間しか電池の寿命が持続しないことになる。
【０００５】
そこで、近距離無線通信機器の状態を、アイドル動作状態、ターゲット動作状態、イニシエータ動作状態の３つの状態の間を周期的に遷移させるようにして、イニシエータ動作状態のときにのみポーリング処理を行うようにすることが提案されている（例えば、特許文献１参照）。この特許文献１に記載の発明を、上述したTVのリモートコントローラに適用することにより、ポーリング処理を行う時間を短縮し、消費電力を削減し、電池の寿命を延ばすことが可能になる。
【先行技術文献】
【特許文献】
【０００６】
【特許文献１】特開２００６−１２９４９８号公報
【発明の概要】
【発明が解決しようとする課題】
【０００７】
しかしながら、特許文献１に記載の発明において、仮に、イニシエータ動作状態を全期間のうちの10%に設定し、他の動作状態における消費電力をゼロにしたとしても、上記の条件下において、リモートコントローラの電池の寿命は約10倍の210時間にしかならない。これは、現在一般的に使用されているTVのリモートコントローラの電池の寿命が約１〜２年であることを考えると、十分な長さであるとは言えない。
【０００８】
本発明は、このような状況を鑑みてなされたものであり、非接触カードとの近接通信において消費する電力を低減できるようにするものである。
【課題を解決するための手段】
【０００９】
本発明の一側面の通信装置は、アンテナと、前記アンテナを介して非接触通信機能を有する情報処理装置と近接通信を行う第１の通信手段と、前記アンテナの近傍に設けられ、入射光量を検出する光検出手段と、表示制御装置と双方向の無線通信を行い、前記情報処理装置から取得した情報を前記表示制御装置に送信する第２の通信手段と、前記第２の通信手段を介して前記表示制御装置を遠隔操作するための操作手段と、前記操作手段を介して前記表示制御装置に対して所定の操作を行った場合に前記表示制御装置から送信されてくる起動信号を前記第２の通信手段が受信するか、または、前記入射光量が所定の閾値未満になった場合、前記第１の通信手段を起動する近接通信制御手段とを含む。
【００１０】
前記近接通信制御手段には、前記第１の通信手段を起動させた後、前記情報処理装置との通信が終了するか、または、前記情報処理装置との近接通信が行われないまま所定の時間が経過した場合、前記第１の通信手段の動作を停止させ、前記第１の通信手段の動作を停止させた後、前記第２の通信手段が前記起動信号を受信するか、または、前記入射光量が前記閾値を一旦超えてから前記閾値未満になるまで、前記第１の通信手段を起動させないようにすることができる。
【００１１】
前記光検出手段を、入射する光を電力に変換し、前記通信装置を駆動する電池を充電する光発電パネルにより構成することができる。
【００１２】
本発明の一側面においては、操作手段を介して表示制御装置に対して所定の操作を行った場合に表示制御装置から送信されてくる起動信号を第２の通信手段が受信するか、または、アンテナの近傍における入射光量が所定の閾値未満になった場合、アンテナを介して非接触通信機能を有する情報処理装置と近接通信を行う第１の通信手段が起動される。
【発明の効果】
【００１３】
本発明の一側面によれば、非接触カードとの近接通信の制御を行うことができる。特に、本発明の一側面によれば、非接触カードとの近接通信において消費する電力を低減することができ、その結果、電池の寿命を延ばすことができる。
【図面の簡単な説明】
【００１４】
【図１】本発明を適用した情報処理システムの一実施の形態を示すブロック図である。
【図２】リモートコントローラの機能的構成を示すブロック図である。
【図３】リモートコントローラにより実行される近接通信制御処理の第１の実施の形態を説明するためのフローチャートである。
【図４】非接触カードR/W部が起動する条件を説明するための図である。
【図５】リモートコントローラにより実行される近接通信制御処理の第２の実施の形態を説明するためのフローチャートである。
【発明を実施するための形態】
【００１５】
以下、図面を参照して本発明を適用した実施の形態について説明する。
【００１６】
図１は、本発明を適用した情報処理システムの一実施の形態を示すブロック図である。図１の情報処理システム１は、TV１１、リモートコントローラ１２、非接触カード１３、および、決済サーバ１４を含むように構成される。情報処理システム１は、オンラインショッピングなどのインターネット２１を利用したサービスを、TV１１により利用できるようにするシステムである。
【００１７】
TV１１は、インターネット２１に接続され、インターネット２１を介して、決済サーバ１４などの他の装置と通信することが可能である。
【００１８】
リモートコントローラ１２は、アンテナ４２およびTV１１のアンテナ３１を介して、TV１１と双方向の無線通信を行い、TV１１の遠隔操作を行う。
【００１９】
また、リモートコントローラ１２は、非接触カード１３の情報の読み書きを行う非接触カードリーダライタ（R/W）部５２（図２）を内蔵し、各種の操作キーが設けられている操作面１２Ａに受信面が来るように、アンテナ４１が設けられている。従って、非接触カード１３をアンテナ４１に翳すことにより、リモートコントローラ１２と非接触カード１３（非接触カードR/W部５２）は、電磁誘導による近接通信（NFC（Near Field Communication））を行う。なお、近接通信とは、通信する装置どうしの距離が、数10cm以内となって可能となる通信を意味し、通信する装置同士（の筐体）が接触して行う通信も含まれる。
【００２０】
さらに、リモートコントローラ１２の操作面１２Ａのアンテナ４１の近傍には、太陽光発電パネル４３が設けられている。太陽光発電パネル４３は、太陽光や照明光などの入射光により発電し、リモートコントローラ１２を駆動するための蓄電池の充電を行う。
【００２１】
非接触カード１３は、例えば、近接通信を行う非接触型のICカードにより構成される。
【００２２】
決済サーバ１４は、インターネット２１を介してTV１１と通信を行い、オンラインショッピングの決済の処理を行う。
【００２３】
ここで、情報処理システム１を利用したオンラインショッピングの処理の概要について説明する。
【００２４】
ユーザは、例えば、リモートコントローラ１２を操作して、TV１１が受信したデジタル放送波の中からオンラインショッピングの番組を選択したり、インターネット２１を介して、オンラインショッピングのサービスを提供するWebサイトにアクセスしたりして、TV１１にオンラインショッピングの画面を表示させる。そして、ユーザは、画面内の情報に従って、リモートコントローラ１２を操作して、購入する商品を確定する。
【００２５】
TV１１が受信した放送波のデータ部分、または、Webサイトから取得した商品情報には、決済サーバ１４のURL（Uniform Resource Locator）を示す情報が含まれている。TＶ１１は、ユーザにより購入する商品が確定されたとき、そのURL情報に基づいて、インターネット２１を介して決済サーバ１４に接続する。
【００２６】
また、ユーザが、リモートコントローラ１２のアンテナ４１に非接触カード１３を翳すと、リモートコントローラ１２は、図４を参照して後述するように、アンテナ４１から周囲に電磁波を周期的に発し、通信可能な非接触カードの探索を行うポーリング処理を開始する。そして、リモートコントローラ１２と非接触カード１３との間の通信が確立し、その結果、非接触カード１３と決済サーバ１４は、リモートコントローラ１２、TV１１、および、インターネット２１を介して通信可能な状態となる。
【００２７】
そこで、決済サーバ１４は、非接触カード１３に対して認証処理を行い、非接触カード１３が信頼できる相手であることを確認した後、伝送路を暗号化し、決済に必要なユーザID、支払い金額等の情報交換を非接触カード１３と行う。さらに、決済サーバ１４は、非接触カード１３のメモリ、および、自サーバのデータベースの残高履歴情報の更新などの決済処理を行う。
【００２８】
このようにして、ユーザは、TV１１を用いて、インターネットショッピングを楽しむことができる。
【００２９】
図２は、リモートコントローラ１２の機能的構成を示すブロック図である。リモートコントローラ１２は、アンテナ４１、アンテナ４２、太陽光発電パネル４３、CPU（Central Processing Unit）５１、非接触カードR/W部５２、キー入力部５３、メモリ５４、無線通信制御部５５、出力電力測定部５６、および、蓄電池５７を含むように構成される。
【００３０】
CPU５１は、所定の制御プログラムを実行することにより、リモートコントローラ１２の各部の制御を行う。
【００３１】
非接触カードR/W部５２は、CPU５１の制御の基に、アンテナ４１を介して非接触カード１３と通信を行い、非接触カード１３の情報の読み書きを行う。また、非接触カードR/W部５２は、非接触カード１３から取得した情報をCPU５１に供給する。
【００３２】
なお、非接触カード１３と非接触カードR/W部５２との間の近接通信には、例えば、ISO（International Organization for Standardization）1443により規定された通信規格が適用され、13.56MHz帯の周波数の搬送波を用いて、最大424kビット／秒の通信が行われる。
【００３３】
キー入力部５３は、TV１１を遠隔操作するための各種のキー等により構成される。キー入力部５３は、ユーザによってキーが押下されると、押下されたキーに応じたLowとHighの２つの状態の組み合わせによる信号を、CPU５１との間の信号線に出力し、CPU５１に割込み処理の実行を指令する。
【００３４】
割込み処理の指令を受けたCPU５１は、メモリ５４内に保持されたコマンドテーブルから、キー入力部５３からの信号の状態に該当するコマンドコードを検索し取得する。CPU５１は、取得したコマンドコードを、通信データのペイロードとして後段の無線通信制御部５５に供給する。
【００３５】
無線通信制御部５５は、無線通信制御部５５が準拠する通信規格に規定されているフォーマットのパケットに、取得したペイロードを成形することにより、ベースバンド信号を生成する。無線通信制御部５５は、生成したベースバンド信号を、所定の方式により変調し、所定の周波数（例えば、2.4GHz）にアップコンバートしてから、アンテナ４２を介して送出する。TV１１は、リモートコントローラ１２から送出されたベースバンド信号を受信し、ベースバンド信号に示されるコマンドコードに対応したコマンド処理を行う。
【００３６】
また、無線通信制御部５５は、TV１１から送信されてくるRF（Radio Frequency）信号をアンテナ４２を介して受信し、RF信号のダウンコンバートおよび復調処理を行い、RF信号に含まれているパケットを取得する。無線通信制御部５５は、取得したパケットからペイロードを抽出し、CPU５１に供給する。CPU５１は、取得したペイロードの解析を行い、その結果得られた情報に従って、リモートコントローラ１２の各部の制御を行う。
【００３７】
なお、TV１１と無線通信制御部５５との間の通信には、例えば、Bluetooth（登録商標）、ZigBee（商標）、IEEE（Institute of Electrical and Electronic Engineers）802.11（802.11a，802.11b，802.11gなど）により規定される無線LAN（Local Area Network）等の、低消費電力で双方向の無線通信が可能な方式が適用される。
【００３８】
太陽光発電パネル４３は、太陽光や照明光などの入射光による光エネルギーを電力に変換し、変換した電力により蓄電池５７の充電を行う。リモートコントローラ１２は、この蓄電池５７からの電力により駆動される。
【００３９】
出力電力測定部５６は、太陽光発電パネル４３により生成され、出力される電力の測定を行い、測定結果を示す情報をCPU５１に供給する。
【００４０】
次に、図３のフローチャートを参照して、リモートコントローラ１２により実行される近接通信制御処理について説明する。
【００４１】
ステップＳ１において、出力電力測定部５６は、パネル電力、すなわち、太陽光発電パネル４３の出力電力が、所定の閾値Wshを下回っているか否かを判定する。ステップＳ１の判定処理は、パネル電力が閾値Wshを下回っていると判定されるまで定期的に繰り返され、パネル電力が閾値Wshを下回っていると判定された場合、処理はステップＳ２に進む。
【００４２】
通常、リモートコントローラ１２は、操作面１２Ａを上に向けて室内で操作するのが一般的である。そのような状態において、図４の左上に模式的に示されるように、室内灯からの光や太陽光などが太陽光発電パネル４３に入射し、太陽光発電パネル４３の発電、および、蓄電池５７の充電が行われる。
【００４３】
一方、図４の右上に模式的に示されるように、ユーザが、アンテナ４１に非接触カード１３を翳した場合、アンテナ４１の近傍に設置されている太陽光発電パネル４３も、非接触カード１３により覆われる。これにより、太陽光発電パネル４３への入射光が、非接触カード１３により遮断され、太陽光発電パネル４３への入射光量が低下し、パネル電力が低下する。
【００４４】
そして、図４の左上の状態においてパネル電力が閾値Wshを超え、図４の右上の状態においてパネル電力が閾値Wshを下回るように、閾値Wshを適切に設定することにより、非接触カード１３をアンテナ４１に翳したとき、パネル電力が閾値Wshを下回り、処理がステップＳ２に進むようになる。
【００４５】
ステップＳ２において、非接触カードR/W部５２は、ポーリング処理を開始する。具体的には、出力電力測定部５６は、パネル電力が閾値Wshを下回ったことをCPU５１に通知する。CPU５１は、例えば、図示せぬスイッチなどを制御して、蓄電池５７から非接触カードR/W部５２への電力の供給を開始させる。これにより、非接触カードR/W部５２が起動する。さらに、CPU５１は、非接触カードR/W部５２にポーリング処理を実行するよう指令し、非接触カードR/W部５２は、ポーリング処理を開始する。これにより、ポーリング信号が周期的にアンテナ４１から発信され、非接触カードR/W部５２の通信圏内における非接触カード１３の探索が開始される。
【００４６】
非接触カード１３は、リモートコントローラ１２からポーリング信号を受信した場合、ポーリング信号に対する応答信号を送信する。
【００４７】
ステップＳ３において、非接触カードR/W部５２は、非接触カード１３を捕捉したか否かを判定する。非接触カードR/W部５２は、非接触カード１３からの応答信号を受信していない場合、非接触カードを捕捉していないと判定し、処理はステップＳ４に進む。
【００４８】
ステップＳ４において、CPU５１は、タイムアウトが発生したか否かを判定する。CPU５１は、非接触カードR/W部５２を起動してからまだ所定の時間が経過していない場合、タイムアウトは発生していないと判定し、処理はステップＳ３に戻る。
【００４９】
その後、ステップＳ３において、非接触カード１３を捕捉したと判定されるか、ステップＳ４において、タイムアウトが発生したと判定されるまで、ステップＳ３およびＳ４の判定処理が繰り返し実行される。
【００５０】
一方、ステップＳ３において、非接触カードR/W部５２は、非接触カード１３からの応答信号をアンテナ４１を介して受信した場合、非接触カードを捕捉したと判定し、処理はステップＳ５に進む。
【００５１】
ステップＳ５において、非接触カードR/W部５２は、非接触カード１３と通信を行う。例えば、非接触カードR/W部５２は、CPU５１の制御の基に、アンテナ４１を介して非接触カード１３と通信を行い、上述したオンラインショッピングの決済に必要な情報の読み書きを行う。その後、非接触カードR/W部５２と非接触カード１３との通信が終了すると、処理はステップＳ６に進む。
【００５２】
一方、ステップＳ４において、CPU５１は、非接触カードR/W部５２を起動してから、非接触カード１３からの応答信号を受信しないまま所定の時間が経過した場合、換言すれば、非接触カード１３との通信が行われないまま所定の時間が経過した場合、タイムアウトが発生したと判定し、処理はステップＳ６に進む。
【００５３】
ステップＳ６において、CPU５１は、非接触カードR/W部５２の動作を停止させる。具体的には、CPU５１は、例えば、図示せぬスイッチを制御して、蓄電池５７から非接触カードR/W部５２への電力の供給を停止させ、非接触カードR/W部５２の動作を停止させる。このように、非接触カード１３との通信終了後に加えて、タイムアウトが発生したときに非接触カードR/W部５２の動作を停止させることにより、非接触カード１３をアンテナ４１に翳す以外の要因、例えば、部屋を暗くしたり、リモートコントローラ１２の操作面１２Ａを下に向けるなどの要因により、パネル電力が閾値Wshを下回り、そのままポーリング処理が継続されてしまい、無駄な電力が消費されることが防止される。
【００５４】
ステップＳ７において、出力電力測定部５６は、パネル電力が閾値Wshを上回っているか否かを判定する。ステップＳ７の判定処理は、パネル電力が閾値Wshを上回っていると判定されるまで定期的に繰り返される。これにより、例えば、部屋を暗くしたり、リモートコントローラ１２の操作面１２Ａを下に向けるなどの要因により、太陽光発電パネル４３への入射光量が小さい状態が継続した場合に、ポーリング処理が再開されてしまい、無駄な電力が消費されることが防止される。
【００５５】
一方、ステップＳ７において、パネル電力が閾値Wshを上回っていると判定された場合、処理はステップＳ１に戻り、上述したステップＳ１以降の処理が実行される。
【００５６】
このようして、非接触カードR/W部５２がポーリング処理を行う期間を限定し、リモートコントローラ１２の消費電力を低減することができる。また、ポーリング処理を行う期間を限定しても、非接触カードR/W部５２と非接触カード１３との間の通信を確実に行うことができる。
【００５７】
また、太陽光発電パネル４３により蓄電池５７を充電することにより、蓄電池５７を交換する間隔を長くすることができる。
【００５８】
なお、図３の近接通信制御処理では、例えば、ユーザが暗い部屋でTV１１を見ていて、パネル電力が閾値Wshを上回らない場合、一度ポーリング処理を行った後、ポーリング処理が再開されなくなり、リモートコントローラ１２と非接触カード１３との近接通信が行えなくなることが想定される。
【００５９】
そこで、図５のフローチャートを参照して、暗い部屋でもリモートコントローラ１２と非接触カード１３との近接通信を確実に行えるようにする方法の一例について説明する。
【００６０】
ステップＳ３１において、図３のステップＳ１の処理と同様に、パネル電力が閾値Wshを下回っているか否かが判定される。パネル電力が閾値Wshを下回っていないと判定された場合、処理はステップＳ３２に進む。
【００６１】
ステップＳ３２において、無線通信制御部５５は、リーダライタ起動信号を受信したか否かを判定する。リーダライタ起動信号を受信していないと判定された場合、処理はステップＳ３１に戻り、ステップＳ３１において、パネル電力が閾値Wshを下回っていると判定されるか、ステップＳ３２において、リーダライタ起動信号を受信したと判定されるまで、ステップＳ３１およびＳ３２の処理が繰り返し実行される。
【００６２】
例えば、ユーザが、TV１１を見ながらオンラインショッピングを利用している場合に、リモートコントローラ１２を操作して、商品の購入を確定し、決済処理に遷移する指令を入力した場合について考える。例えば、TV１１は、オンラインショッピングの画面の表示中に、ユーザが商品の購入を確定し、決済処理に遷移する指令を入力したことを検知した場合、アンテナ３１を介して、リーダライタ起動信号を送信する。
【００６３】
無線通信制御部５５は、アンテナ４２を介して、そのリーダライタ起動信号を受信した場合、ステップＳ３２において、リーダライタ起動信号を受信したと判定し、処理はステップＳ３３に進む。
【００６４】
一方、ステップＳ３１において、パネル電力が閾値Wshを下回っていると判定された場合も、処理はステップＳ３３に進む。
【００６５】
ステップＳ３３乃至Ｓ３７の処理は、図３のステップＳ２乃至Ｓ６の処理と同様である。すなわち、非接触カードR/W部５２のポーリング処理が開始され、非接触カードR/W部５２が非接触カード１３を捕捉した場合、非接触カードR/W部５２と非接触カード１３との通信が行われ、通信終了後、非接触カードR/W部５２の動作が停止される。一方、非接触カードR/W部５２が非接触カード１３を捕捉できずにタイムアウトが発生した場合、非接触カードR/W部５２の動作が停止され、ポーリング処理が終了する。
【００６６】
ステップＳ３８において、図３のステップＳ７の処理と同様に、パネル電力が閾値Wshを上回っているか否かが判定され、パネル電力が閾値Wshを上回っていないと判定された場合、処理はステップＳ３９に進む。
【００６７】
ステップＳ３９において、ステップＳ３２の処理と同様に、リーダライタ起動信号を受信したか否かが判定され、リーダライタ起動信号を受信していないと判定された場合、処理はステップＳ３８に戻る。その後、ステップＳ３８において、パネル電力が閾値Wshを上回っていると判定されるか、ステップＳ３９において、リーダライタ起動信号を受信したと判定されるまで、ステップＳ３８およびＳ３９の判定処理が繰り返し実行される。
【００６８】
一方、ステップＳ３９において、リーダライタ起動信号を受信したと判定された場合、処理はステップＳ３３に戻り、上述したステップＳ３３以降の処理が実行される。これにより、例えば、部屋が暗くてパネル電力が閾値Wshを上回らない状態においても、リモートコントローラ１２と非接触カード１３との近接通信を行うことが可能になる。
【００６９】
一方、ステップＳ３８において、パネル電力が閾値Wshを上回っていると判定された場合、処理はステップＳ３１に戻り、ステップＳ３１以降の処理が実行される。
【００７０】
このようにして、例えば、暗い部屋でTV１１を見ながらオンラインショッピングを利用している場合にも、リモートコントローラ１２と非接触カード１３との間の近接通信を確実に行い、オンラインショッピングの決済を行うことができる。
【００７１】
なお、TV１１からリーダライタ起動信号を送信するタイミングは、上述した例に限定されるものではなく、必要に応じて任意のタイミングに設定することが可能である。
【００７２】
さらに、例えば、リーダライタ起動信号を送信してからタイムアウトが発生するまでの間、リモートコントローラ１２と非接触カード１３との間の通信が可能であることを、TV１１の画面に表示するようにしてもよい。
【００７３】
なお、本発明は、上述した例以外の他のアプリケーションに適用することが可能である。例えば、非接触カードR/W部５２が非接触カード１３を捕捉したことをトリガーにして、リモートコントローラ１２が、非接触カード１３のフリーアクセス領域に格納されている情報を読み出し、TV１１に送信するようなアプリケーションが考えられる。この場合、非接触カード１３のフリーアクセス領域から読み出す情報としては、例えば、交通機関の利用履歴や買い物の履歴などが考えられる。
【００７４】
また、例えば、リモートコントローラ１２が、非接触カード１３のフリーアクセス領域に格納されているURLの情報を読み出し、読み出したURLの情報をTV１１に送信し、そのURLに存在するWebサイトへの接続をTV１１に指示するようなアプリケーションが考えられる。
【００７５】
また、以上の説明では、リモートコントローラ１２への入射光量の検出に太陽光発電パネルを用いる例を示したが、例えば、発電機能を有しない受光センサなどを用いて、入射光量を検出するようにしてもよい。
【００７６】
さらに、以上の説明では、情報処理システム１において、TV、リモートコントローラ、非接触カード、および、決済サーバを１つずつ設ける例を示したが、それぞれ2つ以上設けるようにすることも可能である。
【００７７】
なお、以上の説明では、本発明をTVのリモートコントローラに適用する例を示したが、本発明は、非接触カードと近接通信を行う他の通信装置、例えば、カードリーダライタ、携帯電話機、パーソナルコンピュータ、PDA（Personal Digital Assistant）等にも適用することができる。
【００７８】
また、以上の説明では、本発明を適用した通信装置と近接通信を行う相手を非接触カードとする例を示したが、非接触カード機能を有する装置（例えば、携帯電話機など）とすることも可能である。
【００７９】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００８０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００８１】
また、本明細書において、システムの用語は、複数の装置、手段などより構成される全体的な装置を意味するものとする。
【００８２】
さらに、本発明の実施の形態は、上述した実施の形態に限定されるものではなく、本発明の要旨を逸脱しない範囲において種々の変更が可能である。
【符号の説明】
【００８３】
１  情報処理システム，  １１  TV，  １２  リモートコントローラ，  １３  非接触カード，  １４  決済サーバ，  ２１  インターネット，  ４１  アンテナ，  ４２  アンテナ，  ４３  太陽光発電パネル，  ５１  CPU，  ５２  非接触カードリーダライタ部，  ５３  キー入力部，  ５５  無線通信制御部，  ５６  出力電力測定部，  ５７  蓄電池
【図１】
2010282641.tif 000003
【図２】
2010282641.tif 000004
【図３】
2010282641.tif 000005
【図４】
2010282641.tif 000006
【図５】
2010282641.tif 000007